(57)【要約】【課題】この発明は、リフォーム等の際に二重床の上方床部と下方床部との間の空間部分にアクセスが容易で、且つ、間取り変更時等に配線の繋ぎ変えが容易な二重床構造に関する。【解決手段】本発明の二重床構造１は、所定の基準モジュール寸法に基づいて施工される住宅において、上方床部５が、基準モジュール寸法を略２等分した規格寸法を一辺に有するように略正方形状に形成され、前記規格床パネル４ａのうち最も外側の最外規格床パネル４ｂと前記住宅の外壁８との間に設けられた前記規格寸法よりも幅の狭い外側床パネルと、から形成されている。【選択図】図３
2010001600.tif 000002
【特許請求の範囲】
【請求項１】
所定の基準モジュール寸法に基づいて構造体を配置する住宅における下方床部と、該下方床部に設置された束により所定間隔あけて該下方床部の上方に設けられ、複数の床パネルを敷設して形成されてなる上方床部と、で形成される二重床構造において、
前記上方床部が、
前記基準モジュール寸法を略２等分した規格寸法を一辺に有するように略正方形状に形成され、前記上方床部を形成する前記複数の床パネルのうち、内側に敷設される規格床パネルと、
前記上方床部に形成される前記構造体間に少なくとも２つ前記床パネルの連結部を有するように、最も外側の前記規格床パネルと前記住宅の外壁との間に設けられた前記規格寸法よりも幅の狭い外側床パネルと、から形成されることを特徴とする二重床構造。
【請求項２】
請求項１記載の二重床構造において、
前記外側床パネルの下方に電気配線を収納するための配線ゾーンが設けられたことを特徴とする二重床構造。
【請求項３】
請求項１又は２記載の二重床構造において、
前記上方床部の表面には表面部材が敷設されると共に、
該表面部材が敷設された前記床パネルの連結部と異なる箇所において当該表面部材が連結されることを特徴とする二重床構造。
【発明の詳細な説明】
【技術分野】
【０００１】
この発明は、下方床部と、該下方床部に設置された束により所定間隔あけて該下方床部の上方に設けられた上方床部と、で形成される二重床構造に関する。
【背景技術】
【０００２】
従来、住宅の床は、床スラブに直接フローリングやカーペット等を貼付けて施工されてきた。しかし、前述のような場合には、住人が歩いたり、また、子供が走ったりした場合には、その足音が下層階に伝るという問題や、住人の会話や、音楽等の生活音が下層階、若しくは上層階に伝わるという問題等が生じていた。そのため、以下のような二重床が考案されている。
【０００３】
前述の二重床１０１は、図９に示すように、床スラブ等の下方床部１０２に束１０３が立てられ、該下方床部１０２と所定間隔をあけてその上方に複数の床パネル１０４が連結されて上方床部１０５が形成されるものである。そして、それぞれの床パネル１０４の外周縁には段部１０６が形成されており、相隣接する該床パネル１０４の間の上方から蓋部材１０７を被せることにより配線を設けるための配線スペース１０８形成を形成している（例えば、特許文献１）。
【０００４】
【特許文献１】特開平０５−９８７６４号公報
【発明の開示】
【発明が解決しようとする課題】
【０００５】
しかし、住宅等の施工は一般的に、寸モジュール、間モジュール、メーターモジュール等の基準モジュール寸法に従って廊下の幅や、部屋等の構造体が施工される。そのため、所定大きさに形成された床パネル１０４を複数敷設して上方床部１０５を形成した場合には当該床パネル１０４の連結部の上方に間仕切等の構造体が施工される等して、リフォームや電気配線の修繕等の際に、上方床部１０５と下方床部１０２との間の空間部分にアクセスするために当該床パネル１０４を剥す作業が困難となる。また、電気配線が床全体に張り巡らされた場合には、住宅の場合には間取り変更等の際には施工が大掛かりなものとなる可能性がある。
【０００６】
この発明は上記のような種々の課題を解決することを目的としてなされたものであって、リフォーム等の際に二重床の上方床部と下方床部との間の空間部分にアクセスが容易で、且つ、間取り変更時等に配線の繋ぎ変えが容易な二重床構造に関する。
【課題を解決するための手段】
【０００７】
上記目的を達成するために、請求項１記載の二重床構造は、所定の基準モジュール寸法に基づいて構造体を配置する住宅における下方床部と、該下方床部に設置された束により所定間隔あけて該下方床部の上方に設けられ、複数の床パネルを敷設して形成されてなる上方床部と、で形成される二重床構造において、前記上方床部が、前記基準モジュール寸法を略２等分した規格寸法を一辺に有するように略正方形状に形成され、前記上方床部を形成する前記複数の床パネルのうち、内側に敷設される規格床パネルと、前記上方床部に形成される前記構造体間に少なくとも２つ前記床パネルの連結部を有するように、最も外側の前記規格床パネルと前記住宅の外壁との間に設けられた前記規格寸法よりも幅の狭い外側床パネルと、から形成されることを特徴としている。
【０００８】
請求項２記載の二重床構造は、請求項１記載の二重床構造において、前記外側床パネルの下方に電気配線を収納するための配線ゾーンが設けられたことを特徴としている。
【０００９】
請求項３記載の二重床構造は、請求項１又は２記載の二重床構造において、前記上方床部の表面には表面部材が敷設されると共に、該表面部材が敷設された前記床パネルの連結部と異なる箇所において当該表面部材が連結されることを特徴としている。
【発明の効果】
【００１０】
請求項１記載の二重床構造によれば、規格床パネルが前記基準モジュール寸法を略２等分した規格寸法を一辺に有するように略正方形状に形成され、前記上方床部の内側に敷設される。これにより、規格床パネルを工場等で予め大量生産し、これを現場に必要量だけ持って行き、施工計画に基づいて当該規格床パネルを配置するだけで、二重床の上方床部の大部分の施工を行うことができ、作業を効率に行うことができる。また、規格床パネルが略正方形状に形成されているので、これを敷設する際の方向を気にする必要がなく作業を迅速に行うことができると共に、作業ミスが生じることがないという利点もある。そして、規格床パネルを使用すれば、サイズの異なる床パネルを多く準備する必要がないので施工性を向上することができる。
【００１１】
また、外側床パネルは、前記上方床部に形成される前記構造体間に少なくとも２つ前記床パネルの連結部を有するように、最も外側の前記規格床パネルと前記住宅の外壁との間に設けられると共に、前記規格寸法よりも幅が狭く形成されている。これにより、寸モジュール、間モジュール、メーターモジュール等の基準モジュール寸法に基づいて構造体を配置する住宅では、上方床部の外側を前記外側床パネルとすることで、例えば外壁のＮ芯から所定距離のところに間仕切等の構造体を設ける場合にも、該構造体に妨げられることがなくリフォームや電気配線の修繕等のために規格床パネル等を剥すことができ、上方床部と下方床部との間の空間部分に容易にアクセスすることができる。
【００１２】
請求項２記載の二重床構造は、請求項１記載の二重床構造において、前記外側床パネルの下方に電気配線を収納するための配線ゾーンが設けられている。そのため、リフォーム等の際に間取りを変更した場合には、何れの居室も外壁を含むように該居室が割り当てられることが多いので、外側床パネルの下方に電気配線を設けることで、リフォーム後の電気配線の繋ぎ変えの作業が容易なものとなる。
【００１３】
請求項３記載の二重床構造は、請求項１又は２記載の二重床構造において、前記上方床部の表面には表面部材が敷設されると共に、該表面部材が敷設された前記床パネルの連結部と異なる箇所において当該表面部材が連結される。これにより、床の十分な強度を確保することができると共に、不陸を解消することができるという利点がある。
【発明を実施するための最良の形態】
【００１４】
この発明における二重床構造の最良の実施形態について、以下に説明する。本発明の実施形態に係る二重床構造１は、図３、図４に示すように、所定の基準モジュール寸法に基づいて施工される住宅における下方床部２と、該下方床部２に設置された束３により所定間隔あけてその上方に設けられ、複数の床パネル４を敷設して形成されてなる上方床部５と、で形成される。そして、前記上方床部５が、前記基準モジュール寸法を略２等分した規格寸法を一辺に有するように略正方形状に形成され、前記上方床部５を形成する床パネル４のうち内側に敷設される規格床パネル４ａと、少なくとも２つの前記床パネル４の連結部６が前記上方床部５に形成される構造体７間に有するように、前記規格床パネル４ａのうち最も外側の最外規格床パネル４ｂと前記住宅の外壁８との間に設けられた前記規格寸法よりも幅の狭い外側床パネル４ｃと、から形成されている。
【００１５】
尚、上記略２等分、や略正方形状のうち略との記載は、これらをそれぞれ２等分、正方形状と形成するが、この際には加工の精度上、真に２等分、正方形にはならないという意味であり、以下において略を使用する場合も同様である。
【００１６】
前記下方床部２は、予め、例えば押出成形セメント板等を用いて施工されたものであり、これ以外にもプレキャストコンクリートや、場所打ちされたものであってもよく、当該下方床部２は住宅の１階、２階、若しくはその他の階であってもよい。
【００１７】
そして、前記束３は、図１、図５に示すように、下方床部２に略垂直に設置され、該下方床部２と所定間隔をあけてその上方に上方床部５を支持するものである。該束３は、図５に示すように、束３自身を自立可能とする支持脚３１と、該支持脚３１にねじ込み可能となるようにその下端部にネジ溝３２ａが形成された棒状の支持棒３２と、該支持棒３２の上端部に設けられた略正方形状の支持板３３と、を具備している。これにより、所定位置に配置された束３を固定する必要がなく載置するだけでよいので、施工が容易である。
【００１８】
そのため、上方床部５を施工する際には、まず、束３を所定位置に並べてから、図６に示すように、支持板３３の四隅に床パネル４の角部が載置され、ビスＢ等によって該床パネル４と支持板３３とがそれぞれ連結される。その際には、それぞれ床パネル４同士の間隔を５〜１５ｍｍ程度あけることで、床鳴りを防止することができると共に、各床パネル４の高さ調節を容易にしている。また、支持板３３は、ビスＢの取付け、取外しを容易、且つ繰返し行うことができるように、例えばパーチ材等の木質材料から形成されていることが好ましいが、鋼製プレート等を使用してもよい。これにより、上方床部５と下方床部２との間に形成される空間部分Ｓへのアクセスを容易、且つ繰返し行うことができる。また、下方床部２と上方床部５との間の間隔は、例えば１５０〜２００ｍｍ程度に形成されていることが、そこに形成される空間部分Ｓに配管等を余裕をもって収納することができるため好ましいが、これに限定されるものではない。
【００１９】
また、束３はその高さを調節自在となっている。すなわち、図５に示すように、支持脚３１の上部にはその内部にネジ溝が形成されたネジ部３１ａを具備すると共に、該支持脚３１の略中央部には支持棒３２を挿入可能なように挿入孔３１ｂが設けられている。そのため、ネジ溝３２ａが形成された支持棒３２の下端部を支持脚３１に設けられたネジ部３１ａの上方からねじ込み、該支持棒３２のねじ込む程度を調節することにより、束３の高さを自在に調節できると共に下方床部２と上方床部５との間隔を調整することができ、また、施工誤差等にも対応することができる。また、一般的に居室の外周付近に家具等の重量物を配置する場合が多いため、図１、図４に示すように、住宅の外壁８付近における居室の外周等付近にも束３を設けている。尚、本実施形態においては、支持板３３以外は鋼製の部材から形成されているが、これに限定されず、周知の束を適宜選択して使用することができる。
【００２０】
前記上方床部５は、図３に示すように、規格床パネル４ａ、外側床パネル４ｃ等の複数の床パネル４が束３の支持板３３を介して連結されたものである。そして前記規格床パネル４ａは、束３等にビスＢのみで容易に固定することができるように、例えばパーチ材等の木質材料を好適に使用することができる。該規格床パネル４ａの形状は略正方形状に形成されると共に、その一辺の長さは所定の規格寸法に基づいて形成されている。ここで、規格寸法は、一般的な住宅においては、寸モジュール、間モジュール、メーターモジュール等の基準モジュール寸法に基づいて間仕切７ａ等の構造体７が施工されるため、施工性を鑑みて基準モジュール寸法を略２等分した大きさを規格寸法としている。
【００２１】
そして、本実施形態では、住宅の廊下等を車椅子等でも容易に通行することができるように、基準モジュール寸法としてメーターモジュール、すなわち１ｍを採用しており、前記規格寸法はその２等分である５００ｍｍとなっている。そのため、作業者にとっても取り扱いが容易であると共に、規格床パネル４ａを敷設する際の向き等を考える必要がない。そして、規格床パネル４ａの厚みは、その上に載置される家具等の重みに耐えることができるように、２０〜３０ｍｍ程度に形成されている。尚、基準モジュール寸法は、その他の寸モジュールや間モジュール等を採用してもよく住宅の仕様に応じて適宜変更することができ、これに伴い規格床パネル４ａ等の大きさや厚み、そして、材料等も変更することができるのは勿論である。
【００２２】
外側床パネル４ｃは、図３に示すように、規格床パネル４ａと同一材料から形成され、且つこれと共に上方床部５を形成する略矩形の部材である。該外側床パネル４ｃは、図７に示すように、略正方形状に形成された当該規格床パネル４ａが、束３の支持板３３を介して互いに連結して敷設された該規格床パネル４ａのうち最も外側に位置する最外規格床パネル４ｂの外側であって、該最外規格床パネル４ｂと住宅の外壁８との間に敷設される。これにより、上方床部５を形成する際には、一部現場において所定大きさに床パネル４をカットして調節する必要があるものの、当該床パネル４の大部分を、規格床パネル４ａと外側床パネル４ｃとで形成することができるので、作業性がよい。そして、外側床パネル４ｃは、図３、図４に示すように、上方床部５に形成される構造体７間に少なくとも２つ床パネル４の連結部６を有するように、規格寸法よりも幅が狭く形成されている。
【００２３】
図４は、一方の外壁８ａのＮ芯Ｎ１から他方の外壁８ｂのＮ芯Ｎ２までの長さが３０００ｍｍの住宅の断面図である。この場合には、例えば厚さ１６０ｍｍの一方の外壁８ａのＮ芯Ｎ１から１０００ｍｍの位置に厚さ１２０ｍｍの間仕切７ａのＮ芯Ｎ３が位置するように当該間仕切７ａ等の構造体７を形成する際には、外側床パネル４ｃの幅を例えば２７０ｍｍに形成しておくことで、間仕切７ａのＮ芯Ｎ３と規格床パネル４ａの連結部６である束３のＮ芯Ｎ４とが１５０ｍｍずれる。また、間仕切７ａ等の構造体７を形成する際には、規格床パネル４ａの上方に直接設けられていることが、当該間仕切７ａの内部に電気配線９を引き込みやすく好ましい。
【００２４】
また、図４の他方の外壁８ｂ付近に外側床パネル４ｃを敷設した場合には、当該外側床パネル４ｃと最外規格床パネル４ｂとの間には３００ｍｍの間が生じるが、この場所には幅３００ｍｍの外側床パネル４ｄを敷設することで、上方床部５に隙間が生じることなく床パネル４を敷き詰めることができる。さらに、この場合においても、厚さ１６０ｍｍの他方の外壁８ｂのＮ芯Ｎ２から１０００ｍｍの位置に厚さ１２０ｍｍの間仕切７ａのＮ芯Ｎ５が位置するように当該間仕切７ａ等の構造体７を形成する際には、該間仕切７ａのＮ芯Ｎ５と近接する束３のＮ芯Ｎ６とが１５０ｍｍずれる。このように、上方床部５に形成される構造体８間に少なくとも２つ前記床パネル４の連結部６を有するように、外側床パネル４ｃ、４ｄを配置すれば、該構造体８に妨げられることなく該床パネル４を剥すことができ空間部分Ｓへのアクセスが容易になる。尚、上述のような構成や寸法等は一例であり、これに限定されるものではなく目的や仕様に応じて適宜変更することができる。
【００２５】
そして、図１、図４、図７に示すように、上方床部５の外側を形成する外側床パネル４ｃの下方には、電気配線９を収納するための配線ゾーン１０が設けられている。該配線ゾーン１０は、図４に示すように、外側床パネル４ｃと該外側床パネル４ｃの下方に設けられた断面略コの字型の配線支持部材１１との間に形成される。また、配線支持部材１１は、図１に示すように、その外壁８側は、当該外壁８の屋内側に水平に設けられた根太１２に支持されており、その屋内側は、鋼製の支持脚３１を有する束３に支持されている。そして、配線支持部材１１の両端の凸部１１ａの上部に外側床パネル４ｃがビスＢ等で載置固定され、さらに、束３に支持された配線支持部材１１の屋内側に設けられた凸部１１ａでは、外側床パネル４ｃと、これと相隣接する最外規格床パネル４ｂ等の床パネル４とが連結されている。尚、配線支持部材１１の外壁８側は前述のように根太１２等によって支持されていてもよいが、図２に示すように、鋼製の支持脚３１を有する束３によって支持されていてもよい。
【００２６】
また、図３、図４、図７に示すように、配線ゾーン１０に配線９を引き込む際には、パイプスペース等から、配線支持部材１１の下方付近まで配線を引出し、コンセントユニットＵ等を介した後、該配線支持部材１１に形成された貫通孔１１ｂを通って配線ゾーン１０に引き込まれる。
【００２７】
これにより、リフォーム等によって間取りの変更が生じた場合にも、下方床部２と上方床部５との間の空間部分Ｓにまでアクセスする必要がなく、外側床パネル４ｃを開けて配線ゾーン１０にアクセスするだけで配線９の繋ぎ変えを行うことができる。また、例えば図７に示すように床パネル４が敷設され、二重床構造１が設けられた居室を、リフォームによって、図８に示すような間取り変更した場合にも、外壁８に沿って敷設された外側床パネル４ｃの下方に配線ゾーン１０を設けることで、前述のように多少の間取り変更が生じた場合にも、何れの居室も外壁８に接し、配線ゾーン１０が各居室に設けられているため配線９の繋ぎ変えが容易である。また、図８に示すように間取りを変更した場合には、各居室の外周に配線ゾーン１０を設けてもよい。尚、図７、図８に示すような、床パネル４の配置方法や、居室の形状等は、これらに限定されるものではなく、当該居室に入隅、出隅を有するものであってもよいのは勿論であり、その際には該床パネル４の配置方法も適宜変更することができる。
【００２８】
また、上方床部５の上面には、図５に示すように、フローリング等の仕上材１３ａが敷設され、この際には仕上材１３ａと上方床部５との間には反りが少なく強度、平滑を容易に得ることのできる合板や発泡ポリスチレン等の捨材１３ｂを介在させる。また、図６に示すように、仕上材１３ａや捨材１３ｂ等の表面材１３を上方床部５の上方に敷設する際には、強度確保や不陸解消のために上方床部５を構成する床パネル４の連結部６と当該表面材１３の連結部６１の位置をずらして、これらが異なる位置になるように敷設する。尚、上方床部５の上に捨材１３ｂや仕上材１３ａ等の表面材１３を貼付ける方法は、接着剤やビス固定等の周知の接着方法を適宜選択して使用することができる。
【００２９】
以上のような二重床構造１は一例であり、本実施形態で示したもの以外の周知の構成を必要に応じて付加することができ、また、施工方法についても一例であり、各施工手順の間やその前後に周知の構成を施工する手順を付加することができるのは勿論である。
【００３０】
以上のような二重床構造１を使用すれば、リフォーム等の際に二重床の上方床部と下方床部との間の空間部分にアクセスが容易で、且つ、間取り変更時等に配線の繋ぎ変えが容易である。
【産業上の利用可能性】
【００３１】
本発明に係る二重床構造１は、新規に建設される住宅のみならず、新たに改築等して二重床にした住宅にも適用することができるのは勿論である。
【図面の簡単な説明】
【００３２】
【図１】本発明の実施形態に二重床構造の全体斜視図
【図２】他の実施形態に係る二重床構造の全体斜視図
【図３】本発明の実施形態に係る二重床構造の配線ゾーンに配線を設けた状態を示す図
【図４】二重床構造を有する居室の断面図
【図５】床パネルを支持する束の拡大図
【図６】上方床部の上に捨材等が敷設される状態を示す斜視図
【図７】居室に配置された床パネルを示す図
【図８】図７の居室の間取りを変更した状態を示す図
【図９】従来技術を示す図
【符号の説明】
【００３３】
１          二重床構造
２          下方床部
３          束
４          床パネル
４ａ（４）  規格床パネル
４ｂ（４）  最外規格床パネル
４ｃ（４）  外側床パネル
５          上方床部
６          連結部
６１        連結部
７          構造体
７ａ（７）  間仕切
８          外壁
９          配線
１０        配線ゾーン
１３        表面材
【図１】
2010001600.tif 000003
【図２】
2010001600.tif 000004
【図３】
2010001600.tif 000005
【図４】
2010001600.tif 000006
【図５】
2010001600.tif 000007
【図６】
2010001600.tif 000008
【図７】
2010001600.tif 000009
【図８】
2010001600.tif 000010
【図９】
2010001600.tif 000011